(57)【要約】【課題】リムーバブルメモリにスキャンデータを記憶させることができる画像形成装置の使い勝手を良くする。【解決手段】スキャンが行なわれる時に、それにより得られるデータの量Ａが検出される（Ｓ１０１）。リムーバブルメモリの空き容量Ｂを検出し、スキャンデータ量Ａと比較する（Ｓ１０３，１０５）。リムーバブルメモリの空き容量Ｂが大きければ、スキャンを実施し、データをリムーバブルメモリに保存する（Ｓ１１１）。リムーバブルメモリの容量Ｂの方が小さいと判断された場合、リムーバブルメモリの空き容量に保存可能なデータ量となるように、ユーザにスキャンモードの変更を促す（Ｓ１０７）。【選択図】図２
2007166282.tif 000002
【特許請求の範囲】
【請求項１】
スキャンモードを設定するスキャンモード設定手段と、
スキャンにより得られるデータの量を検出する第１の検出手段と、
可搬脱着型の記憶媒体の使用可能容量を検出する第２の検出手段と、
前記第１および第２の検出手段で検出された、スキャンにより得られるデータの量と、前記可搬脱着型の記憶媒体の使用可能容量とを比較し、後者の容量が不足している場合、スキャンモードを変更する変更手段と、
スキャンにより得られるデータを前記可搬脱着型の記憶媒体に転送する転送手段とを備えた、画像読取装置。
【請求項２】
スキャンモードを変更した時のスキャンにより得られるデータの量を演算する演算手段をさらに備えた、請求項１に記載の画像読取装置。
【請求項３】
前記変更手段は、ユーザにスキャンモードの変更を促し、用途に応じたスキャンモードの選択を受付ける、請求項１または２に記載の画像読取装置。
【請求項４】
前記変更手段によりスキャンモードが変更された場合、変更される前のスキャンモードとその時のスキャンより得られるデータの量をファイルに保存する、請求項１〜３のいずれかに記載の画像読取装置。
【請求項５】
スキャンにより得られるデータの量を検出する第１の検出手段と、
可搬脱着型の記憶媒体の使用可能容量を検出する第２の検出手段と、
前記第１および第２の検出手段で検出された、スキャンにより得られるデータの量と、前記可搬脱着型の記憶媒体の使用可能容量とを比較し、後者の容量が不足している場合、前記可搬脱着型の記憶媒体内のデータを他の記憶手段へ移動させる移動手段と、
スキャンにより得られるデータを前記可搬脱着型の記憶媒体に転送する転送手段とを備えた、画像読取装置。
【請求項６】
前記移動手段で移動させたデータを、前記可搬脱着型の記憶媒体へ再度移動させる手段をさらに備えた、請求項５に記載の画像読取装置。
【請求項７】
前記移動手段は、アクセス者の個人ＰＣまたはアクセス者が使用可能なネットワークディスクにデータを移動させることで、前記可搬脱着型の記憶媒体内のスキャンデータの記憶容量を確保する、請求項５または６に記載の画像読取装置。
【請求項８】
スキャンモードを設定するスキャンモード設定ステップと、
スキャンにより得られるデータの量を検出する第１の検出ステップと、
可搬脱着型の記憶媒体の使用可能容量を検出する第２の検出ステップと、
前記第１および第２の検出ステップで検出された、スキャンにより得られるデータの量と、前記可搬脱着型の記憶媒体の使用可能容量とを比較し、後者の容量が不足している場合、スキャンモードを変更する変更ステップと、
スキャンにより得られるデータを前記可搬脱着型の記憶媒体に転送する転送ステップとを備えた、画像読取装置の制御方法。
【請求項９】
スキャンにより得られるデータの量を検出する第１の検出ステップと、
可搬脱着型の記憶媒体の使用可能容量を検出する第２の検出ステップと、
前記第１および第２の検出ステップで検出された、スキャンにより得られるデータの量と、前記可搬脱着型の記憶媒体の使用可能容量とを比較し、後者の容量が不足している場合、前記可搬脱着型の記憶媒体内のデータを他の記憶手段へ移動させる移動ステップと、
スキャンにより得られるデータを前記可搬脱着型の記憶媒体に転送する転送ステップとを備えた、画像読取装置の制御方法。
【請求項１０】
スキャンモードを設定するスキャンモード設定ステップと、
スキャンにより得られるデータの量を検出する第１の検出ステップと、
可搬脱着型の記憶媒体の使用可能容量を検出する第２の検出ステップと、
前記第１および第２の検出ステップで検出された、スキャンにより得られるデータの量と、前記可搬脱着型の記憶媒体の使用可能容量とを比較し、後者の容量が不足している場合、スキャンモードを変更する変更ステップと、
スキャンにより得られるデータを前記可搬脱着型の記憶媒体に転送する転送ステップとをコンピュータに実行させる、画像読取装置の制御プログラム。
【請求項１１】
スキャンにより得られるデータの量を検出する第１の検出ステップと、
可搬脱着型の記憶媒体の使用可能容量を検出する第２の検出ステップと、
前記第１および第２の検出ステップで検出された、スキャンにより得られるデータの量と、前記可搬脱着型の記憶媒体の使用可能容量とを比較し、後者の容量が不足している場合、前記可搬脱着型の記憶媒体内のデータを他の記憶手段へ移動させる移動ステップと、
スキャンにより得られるデータを前記可搬脱着型の記憶媒体に転送する転送ステップとをコンピュータに実行させる、画像読取装置の制御プログラム。
【発明の詳細な説明】
【技術分野】
【０００１】
この発明は、画像読取装置、画像読取装置の制御方法、および画像読取装置の制御プログラムに関し、特に可搬脱着型の記憶媒体にデータを記録させることができる画像読取装置、画像読取装置の制御方法、および画像読取装置の制御プログラムに関する。
【背景技術】
【０００２】
リム−バブルメモリ等の可搬脱着型の記憶媒体は、ＭＦＰ（Multi Function Peripheral）本体に内蔵されたＨＤＤ（Hard Disk Drive）等の記憶装置に比べ、記憶容量が少ない場合が多い。従って、スキャンにより得られた画像ファイルの種類によってはリムーバブルメモリの記憶容量を超えてしまう状況が発生する。
【０００３】
この際、スキャン動作が終了した後、画像データを転送中に、記憶先のリムーバブルメモリの容量を超えエラーとなっていた。このような状況においては、ユーザは再度スキャンモードを試行錯誤して設定し、リムーバブルメモリ内に収まる量になるスキャンモードを探すか、または、その場でのスキャンをあきらめ、新たに記憶容量を十分大きくしたリムーバブルメモリを用意してくる必要があった。これらいずれの処理にせよ、実際のスキャンデータの量が不明のため、推測によりモードを設定したり、推測により十分な容量のメディアを用意する必要があった。
【０００４】
下記特許文献１は、転送元の記録媒体装置が、転送先の記録媒体の接続状況、記録媒体の名称、記録されているデータの名称、容量、データ数、データの属性等を取得し、それら情報に基づいて転送の判断を行なう技術を開示している。
【０００５】
下記特許文献２は、デジタルカメラにて撮影されたデータが、受信側の容量を超える場合、圧縮する技術を開示している。
【特許文献１】特開２００２−３７３１１８号公報
【特許文献２】特開２００３−６０９５２号公報
【発明の開示】
【発明が解決しようとする課題】
【０００６】
上記特許文献のように自動的に圧縮を行なうように装置を構成すると、ユーザがどのような画像を望んでいるかを考慮せず圧縮が行なわれ、望んでいた画像とかけ離れた画像が保存されてしまうことがあるという問題があった。
【０００７】
この発明は上記問題点を解決するためになされたものであり、利用者の使い勝手の良い画像読取装置、画像読取装置の制御方法、および画像読取装置の制御プログラムを提供することを目的としている。
【課題を解決するための手段】
【０００８】
上記目的を達成するためこの発明のある局面に従うと、画像読取装置は、スキャンモードを設定するスキャンモード設定手段と、スキャンにより得られるデータの量を検出する第１の検出手段と、可搬脱着型の記憶媒体の使用可能容量を検出する第２の検出手段と、第１および第２の検出手段で検出された、スキャンにより得られるデータの量と、可搬脱着型の記憶媒体の使用可能容量とを比較し、後者の容量が不足している場合、スキャンモードを変更する変更手段と、スキャンにより得られるデータを可搬脱着型の記憶媒体に転送する転送手段とを備える。
【０００９】
好ましくは画像読取装置は、スキャンモードを変更した時のスキャンにより得られるデータの量を演算する演算手段をさらに備える。
【００１０】
好ましくは変更手段は、ユーザにスキャンモードの変更を促し、用途に応じたスキャンモードの選択を受付ける。
【００１１】
好ましくは画像読取装置は、変更手段によりスキャンモードが変更された場合、変更される前のスキャンモードとその時のスキャンより得られるデータの量をファイルに保存する。
【００１２】
この発明の他の局面に従うと画像読取装置は、スキャンにより得られるデータの量を検出する第１の検出手段と、可搬脱着型の記憶媒体の使用可能容量を検出する第２の検出手段と、第１および第２の検出手段で検出された、スキャンにより得られるデータの量と、可搬脱着型の記憶媒体の使用可能容量とを比較し、後者の容量が不足している場合、可搬脱着型の記憶媒体内のデータを他の記憶手段へ移動させる移動手段と、スキャンにより得られるデータを可搬脱着型の記憶媒体に転送する転送手段とを備える。
【００１３】
好ましくは画像読取装置は、移動手段で移動させたデータを、可搬脱着型の記憶媒体へ再度移動させる手段をさらに備える。
【００１４】
好ましくは移動手段は、アクセス者の個人ＰＣまたはアクセス者が使用可能なネットワークディスクにデータを移動させることで、可搬脱着型の記憶媒体内のスキャンデータの記憶容量を確保する。
【００１５】
この発明のさらに他の局面に従うと画像読取装置の制御方法は、スキャンモードを設定するスキャンモード設定ステップと、スキャンにより得られるデータの量を検出する第１の検出ステップと、可搬脱着型の記憶媒体の使用可能容量を検出する第２の検出ステップと、第１および第２の検出ステップで検出された、スキャンにより得られるデータの量と、可搬脱着型の記憶媒体の使用可能容量とを比較し、後者の容量が不足している場合、スキャンモードを変更する変更ステップと、スキャンにより得られるデータを可搬脱着型の記憶媒体に転送する転送ステップとを備える。
【００１６】
この発明のさらに他の局面に従うと画像読取装置の制御方法は、スキャンにより得られるデータの量を検出する第１の検出ステップと、可搬脱着型の記憶媒体の使用可能容量を検出する第２の検出ステップと、第１および第２の検出ステップで検出された、スキャンにより得られるデータの量と、可搬脱着型の記憶媒体の使用可能容量とを比較し、後者の容量が不足している場合、可搬脱着型の記憶媒体内のデータを他の記憶手段へ移動させる移動ステップと、スキャンにより得られるデータを可搬脱着型の記憶媒体に転送する転送ステップとを備える。
【００１７】
この発明のさらに他の局面に従うと画像読取装置の制御プログラムは、スキャンモードを設定するスキャンモード設定ステップと、スキャンにより得られるデータの量を検出する第１の検出ステップと、可搬脱着型の記憶媒体の使用可能容量を検出する第２の検出ステップと、第１および第２の検出ステップで検出された、スキャンにより得られるデータの量と、可搬脱着型の記憶媒体の使用可能容量とを比較し、後者の容量が不足している場合、スキャンモードを変更する変更ステップと、スキャンにより得られるデータを可搬脱着型の記憶媒体に転送する転送ステップとをコンピュータに実行させる。
【００１８】
この発明のさらに他の局面に従うと画像読取装置の制御プログラムは、スキャンにより得られるデータの量を検出する第１の検出ステップと、可搬脱着型の記憶媒体の使用可能容量を検出する第２の検出ステップと、第１および第２の検出ステップで検出された、スキャンにより得られるデータの量と、可搬脱着型の記憶媒体の使用可能容量とを比較し、後者の容量が不足している場合、可搬脱着型の記憶媒体内のデータを他の記憶手段へ移動させる移動ステップと、スキャンにより得られるデータを可搬脱着型の記憶媒体に転送する転送ステップとをコンピュータに実行させる。
【発明の効果】
【００１９】
これらの発明に従うと、可搬脱着型の記憶媒体へのデータ転送を効率的に行うことができ、利用者の使い勝手の良い画像読取装置、画像読取装置の制御方法、および画像読取装置の制御プログラムを提供することができる。
【発明を実施するための最良の形態】
【００２０】
［第１の実施の形態］
以下、本発明の第１の実施の形態におけるＭＦＰ（画像形成装置の一例）について説明する。
【００２１】
本実施の形態におけるＭＦＰは、原稿をスキャナによりスキャンし、スキャン画像をリムーバブルメモリ（外部記憶媒体）へ転送（またはコピー）する。リムーバブルメモリの容量が不足する場合、文字優先モードやグラフィック優先モードなど画質を考慮したスキャンモードへのモード変更をユーザに促し、変更されたモードに応じて画像の圧縮を行なう。このようにして、ユーザの希望の画質を維持しつつ、リムーバブルメモリの容量不足に対処することができる。
【００２２】
上記動作を行なうために、本実施の形態におけるＭＦＰは、スキャン容量とリムーバブルメモリの空き容量とを比較し、リムーバブル容量が不足している場合、用途に応じたスキャンモードへの変更をユーザに促す処理を行なう。これにより、スキャンデータの保存が可能となる。
【００２３】
また、スキャン時のモードや、本来実施しようとしたモードとそのときの画像の容量などをｒｅａｄｍｅファイルなどとして、リムーバブルメモリに記憶させることが望ましい。
【００２４】
図１は、第１の実施の形態におけるＭＦＰの構成を示すブロック図である。
図を参照してＭＦＰ１００は、液晶タッチパネルなどから構成される操作部１０１と、原稿画像を読取るスキャナ（画像読取装置の一例）１０２と、推奨されるスキャンモードを設定する推奨スキャンモード設定部１０３と、スキャンモード設定部１０４と、スキャンデータを保存するスキャンデータメモリ１０５と、ＭＦＰ１００に対して着脱自在に構成されるリムーバブルメモリ１０６と、スキャンより得られるデータの量の演算を行なうスキャン容量演算部１０７と、データの量の比較を行なう容量比較部１０８と、ハードディスクドライブ（ＨＤＤ）などから構成される記憶装置１０９と、リムーバブルメモリ１０６内のデータを抽出するリムーバブルメモリ内データ抽出部１１０とを備えている。
【００２５】
ＭＦＰ１００は、外部ネットワーク１１１に接続されており、これによりネットワーク上の記憶装置１１２にデータを保存したり、データを取出したりすることができる。
【００２６】
ユーザが、リムーバブルメモリ１０６をＭＦＰ１００に装着し、操作部１０１によりスキャン時のデータの記憶先をリムーバブルメモリに設定すると、以下の処理が行なわれる。
【００２７】
ある特定のスキャンモードが設定された状態でスキャンが実施されると、容量比較部１０８はスキャンデータの容量と、リムーバブルメモリ１０６内の空き容量とを比較する。リムーバブルメモリ１０６の空き容量が十分な場合は、リムーバブルメモリ１０６へデータを記憶する。
【００２８】
一方、リムーバブルメモリ１０６内の記憶容量が不足している場合は、スキャン容量演算部１０７において、モードを変更してスキャンを行なった場合のデータの推定容量を演算し、推奨スキャンモード設定部１０３にて推奨スキャンモードを設定する。推奨スキャンモードは、操作部１０１に表示される。このとき、リムーバブルメモリの空き容量、推奨スキャンモードを設定した時のスキャンデータの量、および現在の設定のままの場合のスキャンデータの量を表示する。
【００２９】
推奨スキャンモードをユーザーが選択した場合、選択結果に基づきスキャンモードが自動的に設定され、スキャンが行われる。スキャンデータは、リムーバブルメモリ１０６に記憶される。この時、保存時のスキャンパラメータと、推奨スキャンモードに変更する前のスキャンパラメータおよびデータ量が共に、（ｒｅａｄｍｅファイルなどとして）リムーバブルメモリ１０６に記憶される。
【００３０】
図２は、第１の実施の形態におけるＭＦＰのスキャン動作を示すフローチャートである。
【００３１】
図を参照して、ステップＳ１０１においてある特定のスキャンモードが設定された状態でスキャンが行なわれる時に、それにより得られるデータの量Ａが検出される。具体的には、１枚の原稿のスキャンであれば、スキャンデータの量をそのままデータＡとして使用すればよい。また、複数枚の原稿のスキャンを行なう場合は、１枚の原稿のスキャンデータの量から演算する等の方法により、全部の原稿のスキャンデータの量Ａを把握すればよい。
【００３２】
ステップＳ１０３において、リムーバブルメモリの空き容量Ｂを検出し、ステップＳ１０５においてスキャンデータ量Ａと比較する。
【００３３】
リムーバブルメモリの空き容量Ｂが大きければ、問題なくデータを保存できるため、ステップＳ１１１でスキャンを実施し、データをリムーバブルメモリに保存する（あるいはすでに得られているスキャンデータをリムーバブルメモリに保存する）。
【００３４】
ステップＳ１０５で、リムーバブルメモリの容量Ｂの方が小さいと判断された場合、ステップＳ１０７において、リムーバブルメモリの空き容量に保存可能なデータ量となるように、ユーザにスキャンモードの変更を促す。
【００３５】
このとき、文字を優先する場合、グラフィックを優先する場合がユーザによって存在する。文字を優先する場合は階調性より解像度を優先するため、階調を落とす設定とし、グラフィックを優先する場合は、解像度より階調性を優先するため、解像度を落とす設定とすることで、スキャン時のデータ量を減らす。
【００３６】
また、リムーバブルメモリに保存できるレベルでデータ量を減らし、可能な限り高画質とすることでユーザの所望する画質に対応することが可能となる。
【００３７】
たとえばステップＳ１０７においては、操作部１０１に、「現在のスキャンモードではリムーバブルメモリ容量を超えます。」などのスキャンモードの変更を促す表示と、最適モードの選択を促す表示がなされる。
【００３８】
最適モードの選択を促す表示では、たとえば、
（１）文字優先（階調ダウン）
（２）グラフィック優先（解像度ダウン）
（３）マニュアル設定
などの選択肢を表示する。また、各選択肢において、現在のデータ量、設定変更した時の推定データ量、およびリムーバブルメモリの空き容量を表示するようにしてもよい。
【００３９】
ステップＳ１０９において、ユーザの選択に応じて、スキャンを実施する。スキャンにより得られたデータは、リムーバブルメモリに記憶される。またこの時、保存時のスキャンパラメータと、モード変更を行なう前のスキャンパラメータおよびデータ量とを記憶する。
【００４０】
このように保存時のスキャンパラメータや、モード変更前のスキャンパラメータおよびデータ量を記憶する事で、初期のスキャンパラメータとその時のスキャンデータ量を後から確認することが可能となる。これによりユーザは、再度初期のパラメータでのスキャンが必要になった際に、必要なリムーバブルメモリの空き容量を把握することができる。
【００４１】
また、ステップＳ１０７でマニュアル設定を行なう場合に、データ量がどう変わるかや、現在のパラメータ変更でリムーバブルメモリの空き容量に対してどの程度のデータ量になるかを表示することにより、ユーザがリムーバブルメモリにデータを確実に保存できるよう補助することができる。
【００４２】
以上の構成により、予めデータ転送先のリムーバブルメモリの容量と、スキャン時のデータ量とを比較することにより、リムーバブルメモリの記憶容量の過不足を検出することができる。また、容量不足の場合、データの転送前にスキャンモードの変更を促すことで、リムーバブルメモリに対する無駄な書込みが行われない。これにより、リムーバブルメモリの寿命を削ることなく、また無駄な書き込みによる時間の浪費を抑えることができるという効果がある。
【００４３】
さらにＭＦＰ特有のスキャンモードに応じたモード変更を促すことで、文字優先、グラフィック優先等ユーザの目的にあった状態で、再スキャンをすることが可能となる。ＭＦＰの場合デジタルカメラと異なり、文字データや、画像データで、ユーザが重きを置く画質が異なってくるが、本実施の形態ではユーザの所望するモードを提示することができるため、ユーザーフレンドリなインターフェイスを提供することが可能となる。
【００４４】
このように本実施の形態によると、画像形成装置は、スキャンモードを変更可能なスキャン装置と、スキャンデータをリムーバブルメモリに転送する転送部と、スキャン時のデータ量を検出し、リムーバブルメモリの使用可能容量を検出する検出部と、検出されたスキャンデータ量とリムーバブルメモリの空き容量とを比較し、リムーバブルメモリの容量が不足している場合、スキャンモードの変更を促す変更部を有する。
【００４５】
これにより、ＭＦＰ特有の状況において外部記憶媒体の容量が不足した場合に、ユーザーの意思に沿った形での対処が可能となる。
【００４６】
［第２の実施の形態］
本発明の第２の実施の形態におけるＭＦＰのハードウェア構成は、第１の実施の形態におけるそれと同じであるためここでの説明を繰返さない。
【００４７】
本実施の形態におけるＭＦＰは、リムーバブルメモリの容量が不足するときには、リムーバブルメモリ内のファイルをいったん退避し、リムーバブルメモリの容量を増やすことで、スキャン画像の質を落とさずにスキャンデータの取込みを可能とするものである。
【００４８】
リムーバブルメモリ内のファイルは、ＭＦＰ内のＨＤＤや外部記憶装置などに退避させることができる。
【００４９】
すなわち、本実施の形態ではＭＦＰのリムーバブルメモリ内データ抽出部１１０（図１）がリムーバブルメモリ１０６内に別ファイルがあることを検出した場合は、リムーバブルメモリ１０６内のファイルを移動するか否かを操作部１０１に表示し、ユーザに確認させる。移動する場合にユーザは、ＭＦＰ内の記憶装置１０９か、外部ネットワーク１１１に接続された記憶装置１１２かの選択を行なう。
【００５０】
これらの動作によりファイルを移動した後、スキャン動作を行い、リムーバブルメモリ１０６にデータを記憶する。
【００５１】
図３は、第２の実施の形態におけるＭＦＰのスキャン動作を示すフローチャートである。
【００５２】
図を参照して、ステップＳ２０１においてスキャンが行なわれる時に、それにより得られるデータの量Ａが検出される。具体的には、１枚の原稿のスキャンであれば、スキャンデータの量をそのままデータＡとして使用すればよい。また、複数枚の原稿のスキャンを行なう場合は、１枚の原稿のスキャンデータの量から演算する等の方法により、全部の原稿のスキャンデータの量Ａを把握すればよい。
【００５３】
ステップＳ２０３において、リムーバブルメモリの空き容量Ｂを検出し、ステップＳ２０５においてスキャンデータ量Ａと比較する。
【００５４】
リムーバブルメモリの空き容量Ｂが大きければ、問題なくデータを保存できるため、ステップＳ２１７でスキャンを実施し、データをリムーバブルメモリに保存する（あるいはすでに得られているスキャンデータをリムーバブルメモリに保存する）。
【００５５】
ステップＳ２０５で、リムーバブルメモリの容量Ｂの方が小さいと判断された場合、ステップＳ２０７において、リムーバブルメモリの空き容量を確保するため、リムーバブルメモリ内に、他のファイルがあるかを判定する。
【００５６】
ステップＳ２０７でＹＥＳであれば、ステップＳ２０９でそのファイルを移動するかどうかを確認する。これは、ユーザに対し移動するか否かの問合せを行ない、ユーザ入力に応じて移動するか否かを決定するものである。
【００５７】
リムーバブルメモリに他のファイルがない場合、またはファイルを移動しない場合（Ｓ２０７またはＳ２０９でＮＯ）は、図２のステップＳ１０７およびＳ１０９と同様の処理を、ステップＳ２１３およびＳ２１５で行なう。。
【００５８】
移動可能な場合（Ｓ２０９でＹＥＳ）は、ステップＳ２１１で、リムーバブルメモリ内のファイルのうち、移動させるものの選択、および移動先の選択をユーザから受付け、ファイルの移動を実施する。
【００５９】
なお、ステップＳ２１１での処理の後、ステップＳ２０３へ戻ってもよいし、図２の処理を行なってもよい。
【００６０】
［実施の形態における効果］
以上の実施の形態により、ＭＦＰ特有の状況において、外部記憶媒体の容量が不足した場合にも、ユーザの希望する画質を損なうことなく、スキャンデータを外部記憶装置へ記憶させることが可能となる。
【００６１】
［その他］
なお、第２の実施の形態において移動させたデータを、使用者ＩＤが一致した場合にのみ、リムーバブルメモリへ再度移動させるように装置を構成しても良い。
【００６２】
また、リムーバブルメモリに他のファイルがある場合、ＭＦＰのネットワークを介し、使用者の個人ＰＣまたは使用者が使用可能なネットワークディスクにそのファイルを退避することで、リムーバブルメモリ内のスキャンデータの記憶容量を確保するようにしてもよい。
【００６３】
なお、上述の実施の形態における処理は、ソフトウエアによって行なっても、ハードウエア回路を用いて行なってもよい。
【００６４】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００６５】
また、本発明はネットワークに接続されたシステムにおいても、ネットワーク環境に接続されていないシステムにも適用することができる。
【００６６】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６７】
【図１】本発明の実施の形態におけるＭＦＰの構成を示すブロック図である。
【図２】第１の実施の形態におけるＭＦＰのスキャン動作を示すフローチャートである。
【図３】第２の実施の形態におけるＭＦＰのスキャン動作を示すフローチャートである。
【符号の説明】
【００６８】
１００  画像形成装置（ＭＦＰ）、１０１  操作部、１０２  スキャナ、１０３  推奨スキャンモード設定部、１０４  スキャンモード設定部、１０５  スキャンデータメモリ、１０６  リムーバブルメモリ、１０７  スキャン容量演算部、１０８  容量比較部、１０９  記憶装置、１１０  リムーバブルメモリ内データ抽出部、１１１  外部ネットワーク、１１２  記憶装置。
【図１】
2007166282.tif 000003
【図２】
2007166282.tif 000004
【図３】
2007166282.tif 000005